(57)【特許請求の範囲】
【請求項１】
コンパクトディスクケース及びコンパクトディスクの一方又は両方に用いられる少なくとも一枚のラベルをその上に有するコンパクトディスク用ラベルシートを表示するページファイルを生成する方法であって、
前記ラベルのうちの少なくとも一枚をその上に有する前記コンパクトディスク用ラベルシートを用意するオペレーションと、前記シートは、その上の複数の位置の任意の位置に前記ラベルのうちの前記少なくとも一枚を支持し、特定の位置にて支持されている前記ラベルのうちの前記少なくとも一枚を備えると共に特定の幾何学的レイアウト構成を有し、前記少なくとも一枚のラベルに加えて少なくとも一つのしるしをその上に有することと、
前記特定の幾何学的レイアウト構成を光学的に強調するオペレーションと、
前記ラベルのうちの前記少なくとも一枚をその上に有する前記コンパクトディスク用ラベルシートのデジタル表示を生成するために、前記光学的に強調された特定の幾何学的レイアウト構成を光学的に走査するオペレーションと、
前記コンパクトディスク用ラベルシートの前記デジタル表示から、前記しるしのデジタル表示をすべて除去することにより、前記コンパクトディスク用ラベルシートのデジタル表示が前記ラベルのうちの前記少なくとも一枚のみを表示するようにするオペレーションと、
前記ラベルのうちの前記少なくとも一枚のそれぞれの前記シート上の前記位置を判定するために、前記ラベルのうちの前記少なくとも一枚のみを表示する前記コンパクトディスク用ラベルシートのデジタル表示を分析するオペレーションと、
前記ラベルのうちの前記少なくとも一枚のそれぞれのシート上の位置に関するデータを含み、前記少なくとも一枚のラベルをその上に有するコンパクトディスク用ラベルシートを表示する新規のページファイルを生成するオペレーションと、
を備える方法。
【請求項２】
特定の幾何学的レイアウト構成を光学的に強調するオペレーションは、前記シートから前記少なくとも一枚のラベルを除去することにより実行される請求項１に記載の方法。
【請求項３】
前記少なくとも一枚のラベルは、前記少なくとも一枚のラベルの形状を区画する周辺部を有し、前記特定の幾何学的レイアウト構成を光学的に強調するオペレーションは、コントラスト媒体を用いて前記周辺部に目印をつけることにより実行される請求項１に記載の方法。
【請求項４】
前記ラベルのうちの前記少なくとも一枚が複数のラベルであり、ユーザはファイルに含める第一のラベルを選択し得ると共に、ファイルから除去される第二のラベルを識別し、前記方法は更に、
前記ラベルのうちの前記少なくとも一枚のみを表示する前記コンパクトディスク用ラベルシートのデジタル表示が前記所望の第一のラベルのみを表示するように、前記ラベルのうちの前記少なくとも一枚のみを表示する前記コンパクトディスク用ラベルシートのデジタル表示から前記第二のラベルの表示を削除することを含む、
請求項１に記載の方法。
【請求項５】
請求項１に記載の方法はさらに、
前記デジタル表示が曲っているかどうか判定するオペレーションと、
前記デジタル表示が曲っている場合には、前記走査オペレーションを再び実行するか、もしくは、前記デジタル表示の曲がりを直すかの選択をユーザに提供するオペレーションを含む方法。
【請求項６】
前記新規のページファイルおよび前記新規のページファイルによって表されるコンパクトディスク用ラベルシートに対応すると共に、コンパクトディスクケース及びコンパクトディスクの一方又は両方に用いられる第２のラベルを少なくとも有する第２のコンパクトディスクラベルシートを用いて、前記コンパクトディスクケース及び前記コンパクトディスクの一方又は両方に用いられるカスタムラベルを生成することを更に含む請求項１に記載の方法。
【請求項７】
請求項１に記載の方法において、
前記ページファイルは.INIファイルであり、
前記新規のページファイルを生成するオペレーションは、
新規の.INIファイルを生成するオペレーションと、
前記データを前記新規の.INIファイルに挿入するオペレーションと、
用紙ラベルテンプレートのリストに前記新規の.INIファイルを付加するオペレーションとを含む方法。
【請求項８】
ユーザが前記新規のコンパクトディスク用ラベルシートを用意し、前記ユーザは前記新規の.INIファイル用の名前を提供するオプションを有し、
前記方法は更に、
前記ユーザに前記新規の.INIファイル用の名前を提供するよう要求するオペレーションと、
前記ユーザにより提供された前記名前に基づいて前記新規の.INIファイルに名前を付与するオペレーションとを含む、
請求項７に記載の方法。
【請求項９】
請求項１に記載の方法において、
前記デジタル表示を分析するオペレーションは、
前記ラベルの前記少なくとも一枚ごとの前記シート上の前記位置を判定するために、前記ラベルのうちの前記少なくとも一枚のみを表示する前記コンパクトディスク用ラベルシートのデジタル表示からラベルの寸法を測定するオペレーションを備える方法。
【請求項１０】
請求項９に記載の方法はさらに、
前記測定オペレーションに先立って、前記デジタル表示が曲っているかどうか判定するオペレーションと、
前記デジタル表示が曲っている場合には、前記走査オペレーションを再び実行するか、もしくは、前記デジタル表示の曲がりを直すかどうかの選択をユーザに提供するオペレーションと備える方法。
【請求項１１】
前記ユーザの選択に従って、前記走査オペレーションの繰り返し又は前記第一のデジタル表示の曲りを修正するオペレーションから得られる前記デジタル表示に対する除去オペレーション、測定オペレーション又は生成オペレーションのいずれかを実行するオペレーションを更に含む請求項１０に記載の方法。
【請求項１２】
前記コンパクトディスク用ラベルシートが、前記コンパクトディスクケース及び前記コンパクトディスクの一方又は両方に用いられるラベルを有し、
前記方法は更に、前記コンパクトディスクケース及び前記コンパクトディスクの一方又は両方に用いられるカスタムラベルを生成するために、前記新規のページファイルおよび前記新規のページファイルによって表されるコンパクトディスク用ラベルシートに対応すると共に、前記コンパクトディスクケース及び前記コンパクトディスクの一方又は両方に用いられる第２のラベルを少なくとも有する第２のコンパクトディスクラベルシートを用いることを含む、請求項９に記載の方法。
【請求項１３】
コンパクトディスクケース及びコンパクトディスクの一方又は両方に用いられる少なくとも一枚のラベルをその上に有する第１のコンパクトディスク用ラベルシートを表示するページファイルを生成するためのプログラム命令を有するコンピュータ読取可能な媒体であって、前記シートは、その上の複数の位置の任意の位置で前記ラベルのうちの前記少なくとも一枚を支持し、特定の位置にて支持されている前記ラベルのうちの前記少なくとも一枚を有すると共に特定の幾何学的レイアウト構成を有し、前記少なくとも一枚のラベルに加えて少なくとも一つのしるしをその上に有し、前記ページファイルの生成時に前記第１のシートに対応すると共に光学的に強調された幾何学的レイアウト構成を有する第２のコンパクトディスク用ラベルシートが用意されており、前記コンピュータ読取可能な媒体のオペレーションは、
前記第２のコンパクトディスク用ラベルにおける光学的に強調された特定の幾何学的レイアウト構成に対する光学的な走査から得られる、前記第２の光学的に強調された前記コンパクトディスク用ラベルシートのデジタル表示のデータを受容するプログラム命令と、
前記デジタル表示が前記少なくとも一枚のラベルの位置のみを表示するように、前記第２の光学的に強調された前記コンパクトディスク用ラベルシートの前記デジタル表示からその上の前記しるしをすべて除去するプログラム命令と、
前記ラベルの前記少なくとも一枚ごとの前記シート上の前記位置を判定するために前記少なくとも一枚のラベルの位置のみを表示する前記第２のコンパクトディスク用ラベルシートのデジタル表示を分析するプログラム命令と、
前記ラベルの前記少なくとも一枚ごとの前記第１のシート上の前記位置についてのデータを含むと共に、その上に前記ラベルを少なくとも一枚有する前記第１のコンパクトディスク用ラベルシートを表示する新規のページファイルを生成するプログラム命令とを含むコンピュータ読取可能な媒体。
【請求項１４】
請求項１３に記載のコンピュータ読取可能な媒体において、
前記ページファイルは.INIファイルであり、
前記新規のページファイルを生成するプログラム命令は、
新規の.INIファイルを生成するプログラム命令と、
前記データを前記新規の.INIファイルに挿入するプログラム命令と、
用紙ラベルテンプレートのリストに前記新規の.INIファイルを付加するプログラム命令とを含む方法。
【請求項１５】
請求項１３に記載のコンピュータ読取可能な媒体において、
前記少なくとも一枚のラベルのみを表示する前記第２のコンパクトディスク用ラベルシートのデジタル表示を分析するプログラム命令は、
前記ラベルの前記少なくとも一枚ごとの前記第２のシート上の前記位置を判定するために、前記少なくとも一枚のラベルのみを表示する前記第２のコンパクトディスク用ラベルシートのデジタル表示からラベルの寸法を測定するプログラム命令を備える、コンピュータ読取可能な媒体。
【発明の詳細な説明】
【０００１】
【発明の属する技術分野】
本発明はコンピュータシステムに関し、特に、コンパクトディスクケース及びコンパクトディスクのいずれか一方又は両方に用いられる白紙ラベルを載置したコンパクトディスク用ラベルシートを表すページファイルを生成するための方法及びコンピュータ読取可能な媒体に関する。このページファイルを用いて、コンパクトディスクケース用又はコンパクトディスク用のカスタムラベルが作成される。
【０００２】
【従来の技術】
近年、コンパクトディスク（ＣＤ）記録技術が相当に進歩し、ごく普通のユーザが、あらゆる形式のデータをＣＤ媒体上にデジタル記録できるようになった。周知のように、例えば、ＭＰ３トラックをコンピュータ記憶装置にダウンロードした後、コンピュータユーザが用意した新規の何も記録されていないＣＤ媒体に書き込むことができる。これによりユーザは、カスタマイズした音楽データや他のデータを記録したＣＤを作製することができる。
【０００３】
こうしたユーザが自分のカスタムＣＤ媒体に添付するために、市販のラベルをカスタマイズするという利点を認識しているので、ラベル供給業者は、かかるユーザが購入するＣＤラベルを供給してきた。かかるＣＤラベルシートは概して、ＣＤを保護するＣＤケース用のラベル、もしくは、ＣＤ用のラベル等の、一枚以上のラベルを支持する二次元の材料片である。このようなラベルは一般的に印刷がさされておらず、即ち、白紙のラベル（つまり、何も表示されていない）なので、ユーザが、カスタムテキスト又はデザインを白紙のラベルに施すことができる。材料片は、白紙のラベルを材料片の任意の位置で支持することができる。一枚以上の白紙のラベルが所定の材料片で支持される特定の位置を、「幾何学的レイアウト構成」と呼ぶことにする。供給業者が供給する材料片の各々には、例えば、アイコン、印刷ロゴ又はテキスト等の、供給業者が印刷したしるしがある。白紙ラベルの周辺部内部には、かかる供給業者によるしるしが印刷されておらず、これを「非幾何学的構成」と呼ぶことにする。概してユーザは、供給業者が印刷したしるしには何もしるしを追加しないという点で、かかる供給業者が印刷したしるしは、ＣＤケース用又はＣＤ用ラベルの白紙部分と異なる。
【０００４】
ＣＤ用ラベルシート上にあるＣＤ用白紙ラベルは概して、二次元の未記入材料である。かかる白紙ラベルは各々、自己接着性の接着剤を裏面に有すること等により、取り外し可能にＣＤ用ラベルシートに支持されている。ＣＤ用ラベルシートは、容易に取り外し可能な自己接着性の接着剤のコーティング材料を有している。白紙ラベルは、各種の形状のいずれか一つを有することができ、プリンタのトナー等の、印刷媒体の形状で情報を受容するようになっている。かかる情報は、例えば、カスタマイズラベル用にユーザが選択した情報をカスタマイズしている。特定の白紙ラベルの周辺部には、切れ目がつけられていたり他の形式のカットが形成されていて、白紙ラベルを取り囲むＣＤ用ラベルシート上の残りの二次元の材料片から、特定の白紙ラベルの周辺部を分離する。
【０００５】
過去にユーザは、上述の白紙ラベルを備えるこのようなＣＤ用ラベルシートを購入していた。かかるユーザは、現在市販されているソフトウェアを用いて、コンピュータ用プリンタ（ラベル印刷ソフトウェア）を操作してかかる白紙ラベル上に印刷しようとしていた。しかしながら、かかるラベル印刷ソフトウェアは、概ね、ラベル印刷ソフトウェアが設計された時点で市販されていたＣＤ用ラベル又はケース用ラベルに対応する数個のページファイルのみを有する状態で販売されていた。ソフトウェア供給業者は、設計時に市販されていたＣＤ用ラベルシート上の白紙ラベルの各種の配置を正確に判っていなければならないはずである。従って、既知のラベルシート用に、ラベル印刷ソフトウェアを含む対応するページファイルにより、適切なコマンドが与えられて、白紙ラベルが位置するＣＤ用ラベル上の位置に印刷させることができる。
【０００６】
過去に、ユーザが、ラベル印刷ソフトウェアに対応するページファイルがないＣＤ用ラベルシート（「新規」のＣＤ用ラベルシート）を購入した時に、ユーザは、購入した新規のＣＤ用ラベルシート上にある白紙ラベルの位置を手作業で計測して、ラベル位置のデータを得なければならなかった。次に、ラベル印刷ソフトウェア内の新規のページファイルに、ラベル位置のデータを手で入力した。非常に時間のかかるプロセスに加えて、このような手作業での計測にはエラーが付き物で、正確であったとしても、かかるラベル位置のデータをページファイルに手作業入力すると、エラーが生じることがあるのを理解できるであろう。いずれにしても、かかる測定を非常に正確に行う必要があることと、かかるデータ入力を非常に正確に行う必要があることとにより、かかるラベル印刷ソフトウェアの有用性が著しく損なわれていた。
【０００７】
【発明が解決しようとする課題】
前述の観点から、コンパクトディスクケース又はコンパクトディスクの一方又は両方に用いられる白紙のラベルを有する、各種の新規のコンパクトディスク用ラベルシートを表すページファイルを自動的に生成する、コンピュータに実行させる方法及びコンピュータ読取可能な媒体が必要である。このページファイルを用いて、コンパクトディスクケース用又はコンパクトディスク用のカスタムラベルを生成するものである。
【０００８】
【課題を解決するための手段】
概して、本発明は、コンパクトディスクケース又はコンパクトディスクの一方又は両方に用いられる白紙のラベルを有するコンパクトディスク用ラベルシートを表すページファイルを生成するためのコンピュータ読取可能な媒体及びその方法を提供することにより、これらの必要性を満たすものである。このページファイルを用いて、コンパクトディスクケース用又はコンパクトディスク用のカスタムラベルを生成するものである。本発明は、プロセス、装置、システム、コンピュータ読取可能な媒体又はデバイス等を含む、非常に多くの方法で実施できることを理解されたい。本発明の新規性のある実施形態のいくつかについて、以下に説明する。
【０００９】
一実施形態においては、コンパクトディスク用ラベルシートを表示するページファイルを生成する方法について開示されている。ラベルシートは、コンパクトディスクケース又はコンパクトディスクの一方又は両方に用いられる白紙ラベルを少なくとも一枚有する。例えば、白紙ラベルを一枚有するコンパクトディスク用ラベルシートを用意することにより、方法は開始する。このシートは、シート上の複数の位置の任意の位置で白紙ラベルについて支持する。複数の位置で支持されている白紙ラベルを有するこのシートには、特定の幾何学的レイアウト構成が形成されているといえよう。このシートは又、ある例示の白紙ラベルに加えて、画像を少なくとも一つ有している。特定の幾何学的レイアウト構成を光学的に強調し、次に、光学的に強調された特定の幾何学的レイアウト構成を走査して、白紙ラベルのうちの例示の一枚を有するコンパクトディスク用ラベルシートのデジタル表示を生成することにより、方法は継続する。そして、コンパクトディスク用ラベルシートのデジタル表示から、画像をすべて除くので、残りのデジタル表示は、白紙ラベルのうちの例示の一枚のみを表す。残りのデジタル表示を分析して、例示のラベルのシート上の位置を判定する。次に、新規のページファイルを生成して、例示の白紙ラベルを一枚有するコンパクトディスク用ラベルシートを表示する。ページファイルは、例示の一枚の白紙ラベルのシート上の位置に関するデータを含む。
【００１０】
もう一つの実施形態においては、用紙ラベルテンプレートのリストに、新規のＣＤ用ラベルシートを表示するページファイルを追加する方法を提供する。ＣＤ用ラベルシートは、例示の二枚の白紙ラベル等のＣＤ用白紙ラベルを少なくとも一枚有する。新規のＣＤ用ラベルシートを自動的に分析して、シート上の例示の二枚の白紙ラベルのレイアウトを表示するデータを提供することにより、この方法は開始する。新規の.INIファイルを生成する。このデータを新規の.INIファイルに挿入して、新規の.INIファイルを用紙ラベルテンプレートのリストに付加するので、ユーザは、白紙ラベルを用いて新規のＣＤ用ラベルシート上にラベルを作成することができる。
【００１１】
更に別の実施形態においては、デジタル表示をページファイルに変換する方法を提供する。デジタル表示は、ＣＤ用白紙ラベルを少なくとも一枚と、ＣＤ用白紙ラベル少なくとも一枚に加えて画像を少なくとも一つ有するＣＤ用ラベルシートを表示する。例えば、三枚のＣＤ用白紙ラベルと一つの画像（例えば、ロゴ）を用意する。ＣＤ用ラベルシートのデジタル表示からその上にある画像をすべて除去することからこの方法は開始するので、画像が一つ除去される。このように、残りのデジタル表示は、三枚の例示のＣＤ用白紙ラベルを表示する。次に、残っているデジタル表示からラベルレイアウトの寸法を自動的に測定して、例示の三枚の白紙ラベルのシート上の位置を判定する。そして、この方法により、例示の三枚の白紙ラベルを有するＣＤ用ラベルシートを表示する新規のページファイルを作成する。ページファイルは、例示の三枚の白紙ラベル各々のシート上の位置に関するデータを含む。
【００１２】
更に別の実施形態においては、ＣＤケース用の例示の白紙ラベルを一枚とＣＤ用の白紙ラベルを一枚というように、白紙ラベルを少なくとも一枚有するＣＤ用ラベルシートを表示するページファイルを生成する、コンピュータ読取可能な媒体を提供する。このシートは、シート上の複数の位置のいずれかで二枚の例示の白紙ラベルを支持する。特定の位置で支持されている、二枚の例示の白紙ラベルを有するこのシートは、特定の幾何学的レイアウト構成を形成している。このシートは、二枚の例示の白紙ラベルに加えて、例えば、画像を少なくとも一つ有することもできる。例示の二枚の白紙ラベルは、光学的に強調された特定の幾何学的レイアウト構成を有している。かかる光学的に強調された特定の幾何学的レイアウト構成を走査することから得られるスキャナの出力データを受け取るプログラム命令を提供することにより、コンピュータ読取可能な媒体のオペレーションは開始する。スキャナの出力データは、例示の二枚の白紙ラベルを有する光学的に強調されたＣＤ用ラベルシートのデジタル表示である。又、光学的に強調されたＣＤ用ラベルシートのデジタル表示からシート上の画像をすべて除去するプログラム命令があるので、残っているデジタル表示は、例示の二枚の白紙ラベルのみを表示する。更に、プログラム命令は残っているデジタル表示を分析して、二枚の例示の白紙ラベル各々のシート上の位置を判定し、二枚の例示の白紙ラベルを有するＣＤ用ラベルシートを表示する新規のページファイルを作成する。ページファイルは、二枚の白紙ラベル各々のシート上の位置に関するデータを含む。
【００１３】
更に別の実施形態においては、用紙ラベルテンプレートのリストに、例えば、細片のケース用白紙ラベルとＣＤ用白紙ラベルとを有する、ＣＤ用白紙ラベルを少なくとも一枚有する新規のＣＤ用ラベルシートを表示するページファイルを追加するプログラム命令を有する、コンピュータ読取可能な媒体を提供する。コンピュータ読取可能な媒体のオペレーションは、新規のＣＤ用ラベルシートを自動的に分析して、例示の細片のケース用白紙ラベル及びＣＤ用白紙ラベルのレイアウトを表示するラベルシートデータを提供するプログラム命令を含む。更に、プログラム命令は新規の.INIファイルを生成する。次に、ラベルシートデータを新規の.INIファイルに挿入する、追加のプログラム命令を提供する。新規の.INIファイルを、用紙ラベルテンプレートのリストに付加するプログラム命令もある。
【００１４】
更に別の実施形態においては、デジタル表示をページファイルに変換するプログラム命令を有するコンピュータ読取可能な媒体を提供する。デジタル表示は、ＣＤ用白紙ラベルを少なくとも一枚と、少なくとも一枚のＣＤ用白紙ラベルに加えて画像を少なくとも一つ有するＣＤ用ラベルシートを表示する。例えば、細片の白紙ラベル一枚とＣＤ用白紙ラベル一枚が、画像としてテキストを三群有するＣＤ用ラベルシート上にあるとする。コンピュータ読取可能な媒体のオペレーションは、ＣＤ用ラベルシートのデジタル表示からシート上の画像（例えば、三群のテキスト）をすべて除去するプログラム命令を含んでいるので、残っているデジタル表示は、例示の細片の白紙ラベル及びＣＤ用白紙ラベルのみを表示する。又、残っているデジタル表示からラベルレイアウト寸法を測定して、細片の白紙ラベル及びＣＤ用白紙ラベル各々のシート上の位置を判定するプログラム命令を提供する。次に、プログラム命令は、細片の白紙ラベル及びＣＤ用白紙ラベルを有するＣＤ用ラベルシートを表示する新規のページファイルを生成するので、ページファイルは、細片の白紙ラベル及びＣＤ用白紙ラベル各々のシート上の位置に関するデータを含む。
【００１５】
本発明の、上述の方法及びコンピュータ読取可能な媒体を用いれば、ユーザが、ユーザのラベル印刷ソフトウェアに対応するページファイルがないＣＤ用ラベルシート（即ち、「新規」のＣＤ用ラベルシート）を購入する場合に、購入した新規のＣＤ用ラベルシート上の白紙ラベルの位置を、ユーザが手作業で測定してラベル位置のデータを用意する必要がなくなる利点がある。更に、かかる方法及びコンピュータ読取可能な媒体により、スキャナで生成されたデータを用いることもできる。その上、ユーザは、ラベル印刷ソフトウェアが提供したページファイルにラベル位置のデータを入力する必要がなくなる。さらに、本発明の方法及びコンピュータ読取可能な媒体により、これらの非常に時間のかかるプロセスを回避して、エラーが付き物の測定及びデータ入力作業を省く。また、かかる測定を極めて正確に行う必要がなく、且つ、かかるデータ入力を非常に正確に行う必要がないので、かかるラベル印刷ソフトウェアの有用性は向上され、かかるラベル印刷ソフトウェア及び新規のＣＤ用ラベルシートに対するユーザの購買意欲を、再度、刺激することになる。
【００１６】
本発明の他の態様及び利点について、本発明の原則を例示により示す添付の図面を参照すると共に、以下の詳細な説明から明らかになるであろう。
【００１７】
【発明の実施の形態】
本発明について、添付の図面と共に以下の詳細な説明により、容易に理解されるであろう。そして、同じ参照番号は、同じ構成要素を表す。
【００１８】
ＣＤ媒体用ラベルのページファイルを自動的にセットアップするコンピュータ読取可能な媒体及びその方法に関する発明について、説明する。しかしながら、これらの特定の詳細のいくつか、もしくは、すべてを用いることなく、本発明を実施できることが、当業者にとって明らかであろう。他の例においては、本発明を不明確にしないために、周知のプロセスオペレーションについては記載していない。
【００１９】
図１Ａは、本発明の一実施形態に基づく、二枚のＣＤ用白紙ラベル２１と二枚の細片の白紙ラベル２２と二枚のＣＤケース用白紙ラベル２３とを図示しているＣＤ用ラベルシート２０を示す概略図である。かかるＣＤ用ラベルシート２０は、二次元の材料片で、一枚以上の白紙ラベル２１ないし２３と、白紙ラベル２１ないし２３を囲む非白紙ラベル領域２４とを支持している。かかる白紙ラベル２１ないし２３は、一般的に印刷されておらず、即ち、白紙（つまり、何も表示されていない）なので、白紙ラベル２１ないし２３上に、ユーザが、カスタムテキスト又はデザインを印刷したり、あるいは、しるしをつけたりすることができる。白紙ラベル２１ないし２３は、ケースの細片部分（図示せず）上に情報を提供するために印刷される細片の白紙ラベル２２とすることもでき、もしくは、ＣＤ（図示せず）を収納し且つ保護する保護ケース（図示せず）に挿入されるケース用白紙ラベル２３とすることもできる。当然ながら、ＣＤケース用白紙ラベル２３の上などに、白紙ラベル２１ないし２３上に設けられる情報は、ＣＤの作者を記載したり、白紙ラベル２１上には、ケースに収納されるＣＤを特定したり、細片の白紙ラベル２２上には、ＣＤの名称を表示したりすることもできる。
【００２０】
ＣＤ用ラベルシート２０の任意の材料片は、この材料片の各種のいずれかの位置で白紙ラベルを支持することができる。ＣＤ用ラベルシート２０の任意の材料片上で支持される各種の白紙ラベル２１ないし２３上の特定の位置を、「幾何学的レイアウト構成」と呼ぶ。供給業者によってユーザに販売されるので、ＣＤ用ラベルシート２０の材料片各々は、例えば、アイコン、印刷ロゴ又はテキスト等のしるし２５を有している。製造業者や供給業者からは、このような供給業者が提供したしるし２５は、白紙ラベル２１ないし２３の周辺部２６内部に概ね印刷されていない。従って、このような供給業者が提供したしるし２５を、「非形状構成」と呼ぶ。一般的に、ユーザは、オリジナルの供給業が提供したしるし２５になにもしるしを加えないという点で、このような供給業者が提供したしるし２５は、白紙ラベル２１ないし２３と異なる。
【００２１】
ＣＤ用ラベルシート２０上に提供されているＣＤ用白紙ラベル２１ないし２３は概して、接着剤が被覆された材料からなる二次元の白紙である。白紙ラベル２１ないし２３は、ＣＤ用ラベルシート２０上で取り外し可能に支持されている。例えば、ＣＤ用ラベルシート２０から部分的に裏返されて図示されているＣＤ用白紙ラベル２１Ａを参照すると、白紙ラベル２１Ａの裏面の接着性コーティング２７は、ＣＤ用ラベルシート２０のラベル支持面２９上にある剥離材料であるコーティング２８に対して、低い粘着性を有している。従って、白紙ラベル２１Ａは、ＣＤ用ラベルシート２０から容易に取り外し可能である。
【００２２】
白紙ラベル２１ないし２３は、各種の形状のいずれか一つを有する。例えば、ＣＤ内部の形状に一致する形状、例えば、環状を有するＣＤ用白紙ラベル２１が図示されている。又、ケース用白紙ラベル２３は長方形を有し、細片の白紙ラベル２２は細長い長方形を有している。特定の白紙ラベル２１ないし２３の周辺部２６は、白紙ラベル２１ないし２３の形状を形成し、切れ目３０又は別の形式のカットにより形成されている。カット３０は、特定の白紙ラベル２１ないし２３の周辺部２６を分離し、そして、ＣＤ用ラベルシート２０上の二次元の接着剤被覆材料片の残りであって、白紙ラベル２１ないし２３に使用しない非白紙ラベル領域２４から、白紙ラベル２１ないし２３全体を分離する。
【００２３】
かかる白紙ラベル２１ないし２３の各々を、プリンタトナー等の印刷媒体の形式にて情報を受容するよう適応させる。例えば、このような情報は、ユーザに選択された情報をカスタマイズしている。図１Ｂは、印刷オペレーションが完了したばかりの各白紙ラベル２１及び２３を図示している。各白紙ラベル２１及び２３について、ここではラベル、もしくは、カスタマイズテキスト又は他のしるし（「カスタム特徴」３３と呼ぶ）をその上に有するカスタマイズラベル３２と呼ぶ。例えば、カスタマイズラベル３２ＣＤはＣＤ用で、カスタマイズラベル３２Ｃはケース用である。ユーザがカスタムＣＤを作製し、カスタムＣＤ用にカスタマイズラベル３２を作成したいと思う場合には、ユーザは、図１Ａに図示されている形式のＣＤ用ラベルシート２０を購入することがあることが理解されるであろう。もちろん、異なる製造業者による白紙ラベルは、異なる位置に向いていることであろう。ユーザのラベル印刷ソフトウェアに、購入したばかりのＣＤ用ラベルシート２０に対応するページファイルがない場合に、購入したばかりのＣＤ用ラベルシート２０を「新規」のＣＤ用ラベルシート２０と呼び、これは、「新規の幾何学的レイアウト構成」を有している。
【００２４】
図２は、本発明の一実施形態に基づく詳細な方法オペレーションを示すフローチャートを示し、ＣＤ用ラベルシート２０が新規の幾何学的レイアウト構成を有する新規のＣＤ用ラベルシート２０で、ユーザがページファイルを自動的にセットアップして新規のＣＤ用ラベルシート２０に印刷したいと望む場合に実行される。この方法オペレーションは、プログラム命令２００により実行され、開始後、オペレーション２０２で、上述のＣＤ用ラベルシート２０の内の一枚を用意する。このようなシート２０は、一枚以上のＣＤ用白紙ラベル２１ないし２３を有し、上述の新規の幾何学的レイアウト構成を有するＣＤ用ラベルシート２０である。この条件で、ユーザのラベル印刷ソフトウェアに、新規のＣＤ用ラベルシート２０に対応するページファイルがないとする。
【００２５】
方法はオペレーション２０４に移り、ＣＤ用ラベルシート２０及び白紙ラベル２１ないし２３の走査を容易にするためにこのような強調が必要な場合には、白紙ラベル２１ないし２３を操作して、新規の幾何学的レイアウト構成を強調する。例えば、白紙ラベル２１ないし２３各々の周辺部２６に沿って濃くしるしを付けることにより、このような操作を行うこともできる。例えば、濃いしるしが、ＣＤ用ラベルシート２０の白紙ラベル２１ないし２３の各々と非ラベル領域２４との間に、コントラストを付ける。又は、このようなコントラストを付けるために、白紙ラベル２１ないし２３を剥離する、もしくは、ＣＤ用ラベルシート２０から除去することもできる。ＣＤ用ラベルシート２０上部のＣＤ用白紙ラベル２１Ａを、部分的に剥離したものが図１Ａに示されている。このような方法、もしくは、類似の方法で、白紙ラベル２１ないし２３各々の周辺部２６を、非ラベル領域２４から光学的に際立たせて、白紙ラベル２１ないし２３各々の位置の判定を容易にすることが可能である。このように操作された白紙ラベル２１ないし２３について、「操作済み白紙ラベル」と呼ぶ。
【００２６】
次に、方法はオペレーション２０６に移り、操作済み白紙ラベル２１ないし２３を走査して、新規のＣＤ用ラベルシート２０上の白紙ラベル２１ないし２３により形成される新規の幾何学的レイアウト構成のデジタル表示を得る。このデジタル表示は、しるし２５（例えば、テキスト及びアイコン等の非形状構成物）の表示と白紙ラベル２１ないし２３の表示（即ち、所望の白紙ラベル２１ＤＲ及び２３ＤＲとして図４Ａに図示されている、ユーザがカスタムラベル３２として使用したい白紙ラベル２１ないし２３を含む）と、ユーザがカスタムラベル３２として使用したくない、即ち、興味のない白紙ラベル２１ないし２３（図４Ａに図示せず）とを含む。
【００２７】
次に、方法はオペレーション２０８に移り、例えば、テキスト及びアイコン等の非形状構成の形状のしるし２５を、新規の幾何学的レイアウト構成の表示から除去する。このような除去を行って、例示の所望の白紙ラベル２１ＤＲ及び２３ＤＲを検討した後、デジタル表示は、所望の白紙ラベル２１ＤＲないし２３ＤＲのデジタル表示と興味のない白紙ラベル２１ないし２３の表示とを含むことになる。
【００２８】
次に、方法はオペレーション２１０に移る。走査オペレーション２０６において、デジタル表示は、ＣＤ用ラベルシート２０のアラインメント軸線４１に対して位置がずれた状態でスキャナ（図示せず）に送られた、もしくは、配置されたＣＤ用ラベルシート２０を表すこともあることが理解されるであろう。その結果、デジタル表示が曲ることになる。つまり、スキャナの走査軸線（図示せず）に対して適切に位置合わせされていないのである。オペレーション２１０は、オペレーション２０６から得られたデジタル表示が曲っているかどうかについて、判定する。このようにデジタル表示が曲っている場合には、方法はオペレーション２１２に移り、オペレーション２０６で走査されたＣＤ用ラベルシート２０を再走査するか、もしくは、曲がりを直すか、ユーザが判定する。いずれかの場合でも、方法は再びオペレーション２１０に戻り、オペレーション２１２で得られたデジタル表示が曲っているかどうかを判定する。このデジタル表示が曲っていないとすると、方法はオペレーション２１４移り、曲っている場合には、方法は再びオペレーション２１２に戻る。
【００２９】
図１Ａと図４Ａを比較することにより、オペレーション２１４を理解できるであろう。図１Ａの白紙ラベル２１ないし２３は、二枚のＣＤ用白紙ラベル２１と二枚の細片の白紙ラベル２２と二枚のＣＤケース用白紙ラベル２３とを含むことが読みとれる。オペレーション２１４にて実行される、二枚の細片の白紙ラベル２２にユーザは興味を持たないので、これらをデジタル表示から除去すべきであるという例示的決定を用いてオペレーション２１４について説明する。オペレーション２１４の後のデジタル表示が、図４Ａに概略フォーマットで図示されている。これは、二枚のＣＤ用白紙ラベル２１（２１ＤＲとして図示）のデジタル表示及び二枚のＣＤケース用白紙ラベル２３（２３ＤＲとして図示）のデジタル表示のみを有するＣＤ用ラベルシート２０（２０ＤＲとして図示）のデジタル表示を含む。
【００３０】
更に図２Ａ及び図４Ａを検討すると、方法はオペレーション２１６に移り、デジタル表示からレイアウト寸法を測定する。特に、測定を行って、二枚のＣＤ用白紙ラベル２１のデジタル表示２１ＤＲの位置と二枚のＣＤケース用白紙ラベル２３のデジタル表示２３ＤＲの位置とを判定する。図４Ａのデジタル表示上部に図示されている、一枚のＣＤ用白紙ラベル２１のデジタル表示２１ＤＲと一枚のＣＤケース用白紙ラベル２３のデジタル表示２３ＤＲとに対して、以下の例示の方法でこのような測定を行う。次に、図４Ａのデジタル表示下部に示されている、一枚のＣＤ用白紙ラベル２１のデジタル表示２１ＤＲと一枚のＣＤケース用白紙ラベル２３のデジタル表示２３ＤＲとに対して、同様の測定を行う。
【００３１】
上部にある環状ＣＤ用白紙ラベル２１のデジタル表示２１ＤＲ（「ビュー１」として表示）に対して、左辺４２からオフセット４２Ｌを測定し、上辺４３からオフセット４３ＣＤを測定し、内周半径４４及び外周半径４５の両方を測定する。上部にある長方形のＣＤケース用白紙ラベル２３のデジタル表示２３ＤＲ（「ビュー２」として表示）に対して、右辺４６からオフセット４６Ｒを測定し、上辺４３からオフセット４３ＣＤを測定し、Ｘ軸方向オフセット４７及びＹ軸方向オフセット４８の両方を測定する。承知のように、下部にある二枚の白紙ラベル２１及び２３各々のデジタル表示２１ＤＲ及び２３ＤＲについても、同様に測定を行う。得られる測定データを、「測定レイアウト寸法」と呼ぶ。
【００３２】
次に、方法はオペレーション２１８に移り、測定レイアウト寸法を含む新規のページファイル５１を生成する。図４Ｂは、例えば、図４Ａに図示されているデジタル表示のビュー１、２、３及び４各々の測定レイアウト寸法である例示の測定データ５２と共に、新規のページファイル５１を示す。
【００３３】
次に、方法はオペレーション２２０に移り、上述の例示の条件で、新規のページファイル５１を用いて、二枚のカスタムＣＤ用ラベル３２ＣＤ及び二枚のカスタムＣＤケース用ラベル３２Ｃ（図１Ｂ）の、カスタムラベル３２を生成する。新規のページファイルを使用するために、ユーザは、図５Ａに図示されている「ページセットアップ」を選択し、「マイラベル」の用紙ラベルテンプレートを選択する。これにより、新規のページファイル５１（図４Ｂ）に入力された例示の測定データ５２にアクセスして処理する。「マイラベル」の用紙ラベルテンプレートが選択されているので、図４Ａに図示されているデジタル表示の縮小描画５４が、素材である選択されたＣＤ用ラベルシート２０に関するユーザへの覚えとして、「マイラベル」の用紙ラベルテンプレートに隣接して現れる。次にユーザは、例えば、二枚のカスタムＣＤ用ラベル３２ＣＤ及び二枚のカスタムＣＤケース用ラベル３２Ｃの作成に使用する、テキストや他の情報、デザイン等を選択する。印刷命令を選択して、二枚の白紙のＣＤ用白紙ラベルと二枚のＣＤケース用白紙ラベルとに選択したテキスト及び／又は他の情報及び／又はデザインを印刷すると同時に、カスタムＣＤ用ラベル３２ＣＤ及びカスタムＣＤケース用ラベル３２Ｃを作成する方法が終了する。
【００３４】
図３には、新規のＣＤ用ラベルシート２０に印刷するための新規のページファイル５１を自動的にセットアップする方法に関する、別のオペレーションが示されている。特に、図２のオペレーション２１６から派生する、オペレーション２１８内の方法サブオペレーションは、オペレーション２２２を含み、新規の.INIファイル（即ち、新規のページファイル５１）を生成する。次に、オペレーション２２４で、測定データ（オペレーション２１６からの測定レイアウト寸法に基づく）を、.INIファイル５１に挿入する。次に方法は、オペレーション２２６に移り、新規の.INIファイル５１の名前をユーザに要求する。ユーザは、新しい名前を用意し、そして、方法はオペレーション２２８に移り、図５Ａに図示のように、.INIファイルの新しい名前をラベル用紙テンプレート５７のリスト５６に付加する。オペレーション２１８のサブオペレーションは、これで終了する。このように、ユーザから選択された白紙ラベル２１ないし２３のカスタマイズをこれで支援する。換言すれば、新規の.INIファイル５１をラベル用紙テンプレート５７のリスト５６に付加することにより、新規のラベル３２（新規の幾何学的レイアウト構成を有する）をこれで支援する。
【００３５】
要約すると、ラベル印刷ソフトウェアを最後にアップデートした時に、印刷する二枚のＣＤ用ラベル２１ＣＤ及び二枚のケース用ラベル２３Ｃに対応するＣＤ用ラベルシート２０が市販されていなくとも、上述の手作業での測定を行うことなく、上述の手作業でのデータ入力をせずに、かかる支援により、ユーザが、供給業者のアップデートなしにラベル印刷ソフトウェアを使用して、例示の二枚のカスタムＣＤ用ラベル３２ＣＤ及び二枚のカスタムＣＤケース用ラベル３２Ｃを印刷できるようにする。更に詳しくは、有利には、本発明の上述の方法及びコンピュータ読取可能な媒体を用いれば、ユーザがＣＤ用ラベルシート２０を購入して、ユーザのラベル印刷ソフトウェアに対応するページファイル５１がない（即ち、ユーザが新規のＣＤ用ラベルシート２０を購入する場合に）場合に、ラベルの位置又は測定データ５２を用意するために、ユーザが、購入した新規のＣＤ用ラベルシート２０上の白紙ラベル２１ないし２３の位置を手作業で測定する必要がない。さらに、かかる方法及びコンピュータ読取可能な媒体により、有名なスキャナで生成したデジタル表示を用いることもできる。更に、ユーザは、ユーザのラベル印刷ソフトウェアで提供されるページファイル５１に、ラベル位置測定データ５２のいずれも入力する必要がない。むしろ、本発明の方法及びコンピュータ読取可能な媒体により、これらの時間のかかるプロセスを回避し、エラーが付き物の他作業での測定及びデータ入力操作を回避する。又、手作業で非常に正確に測定する必要がなく、しかも、手作業で非常に正確にこのようなデータ入力をする必要がないので、ユーザの手持ちのラベル印刷ソフトウェアの有用性が向上するので、新規のＣＤ用ラベルシート２０に対するユーザの購買意欲を刺激することになる。
【００３６】
本発明は、コンピュータシステムにデータを保存することを含む、各種のコンピュータに実行させる操作を用いている。これらの操作は、物理量の物理的操作を必要とする。必ずしも必要なわけではないが、通常、これらの量は、保存、搬送、結合、比較、あるいは操作可能な電気的又は電磁的信号の形をとる。更に、実行される操作は、生成、識別、判定又は比較等を参照する。
【００３７】
本発明の一部を形成する、ここに記載のオペレーションはいずれも、有用な機械的操作である。本発明は又、これらの操作を実施するデバイス又は装置に関する。この装置は、要求される目的に合わせて特に構成することもできるし、コンピュータに保存されたコンピュータプログラムにより、選択的に起動される又は構成される汎用コンピュータとすることもできる。特に、本発明の教示に基づいてコンピュータプログラムを書き込んで、各種の汎用機を用いることもできるし、更に便利なことには、より専用の装置を構成して、要求されるオペレーションを実行することもできる。
【００３８】
また、本発明を、コンピュータ読取可能な媒体のコンピュータ読取可能コードとして実施することができる。コンピュータ読取可能な媒体は、いずれかのデータ保存デバイスであって、コンピュータシステムにより後に読取可能なデータを保存できる。コンピュータ読取可能な媒体の例には、リードオンリーメモリ、ランダムアクセスメモリ、ＣＤ-ＲＯＭ、ＣＤ-Ｗ、磁気テープ及び他の工学的データ保存デバイスが含まれる。コンピュータ読取可能な媒体は又、コンピュータシステムに接続したネットワークを通じて配付できるので、配付された方法でコンピュータ読取可能コードを保存し、実行する。
【００３９】
前述の本発明について、明確に理解するためにいくらか詳細に説明してきたが、添付の請求の範囲内で、一定の変更及び変形についても実施できる。従って、本発明の実施形態は、制限ではなく説明であり、本発明は、ここに記載の詳細に制限されるものではなく、添付の請求の範囲及び等価物の範囲内で変更できるものである。
【図面の簡単な説明】
【図１Ａ】二枚のＣＤ用白紙ラベル、二枚の細片の白紙ラベルおよび二枚のＣＤケース用白紙ラベルが図示されている、ユーザのラベル印刷コンピュータのページファイルに表示されないＣＤ用ラベルシートを示す概略図。
【図１Ｂ】二枚のカスタムＣＤ用ラベルと二枚のカスタムＣＤケース用ラベルが図示されている、カスタムラベルを作成するシートの白紙ラベルをカスタマイズした後のＣＤ用ラベルシートを示す概略図。
【図２】ＣＤ用ラベルシートが新規のＣＤ用ラベルシートであり、ユーザがページファイルを自動的にセットアップして新規のＣＤ用ラベルシートの白紙ラベルに印刷したいと望む場合に実行される、本発明の一実施形態に基づく詳細な方法オペレーションを示すフローチャート。
【図３】本発明の別の実施形態に基づく、新規のページファイルを生成するオペレーションの詳細を示すフローチャート。
【図４Ａ】非形状構成を除き、興味のない図形を取り除くオペレーションを行った後の新規のラベルシートで、新規のＣＤ用ラベルシート上に残っている白紙ラベルの形状が図示されている、新規のＣＤ用ラベルシートのデジタル表示を示す概略図。
【図４Ｂ】ビューが矩形及び環状である、図４Ａに図示されているデジタル表示に対応するデータを含むページファイルを示す説明図。
【図５Ａ】本発明に基づいて用意された、「マイラベル」と表示されている新規の白紙ラベルを図示している、ページセットアップのプルダウン画面を示す図。
【図５Ｂ】ユーザのカスタムＣＤ用ラベル印刷に使用するために選択された、「マイラベル」と表示されている新規の白紙ラベルを図示している、ページセットアップのプルダウン画面を示す図。
【図１Ａ】
0003857046.tif 000002
【図１Ｂ】
0003857046.tif 000003
【図２】
0003857046.tif 000004
【図３】
0003857046.tif 000005
【図４Ａ】
0003857046.tif 000006
【図４Ｂ】
0003857046.tif 000007
【図５Ａ】
0003857046.tif 000008
【図５Ｂ】
0003857046.tif 000009